(57)【特許請求の範囲】
【請求項１】
陰極を有する陰極室と、陽極を有する陽極室とを有し、該両極室間に、陽極側に陽イオン交換膜、陰極側に陰イオン交換膜を配置して構成される濃縮室と、次の（ａ）〜（ｅ）の脱塩室、（ａ）陰極側に陽イオン交換膜、陽極側に陰イオン交換膜を配置し、内部にイオン交換体を充填した脱塩室、（ｂ）両側に陽イオン交換膜を配置し、内部にイオン交換体を充填した脱塩室、（ｃ）両側に陰イオン交換膜を配置し、内部にイオン交換体を充填した脱塩室、（ｄ）陰極側に陽イオン交換膜、陽極側にバイポーラ膜を配置し、内部にイオン交換体を充填した脱塩室、（ｅ）陰極側にバイポーラ膜、陽極側に陰イオン交換膜を配置し、内部にイオン交換体を充填した脱塩室、のいずれか１種類以上の脱塩室とを配置して構成される電気再生式脱塩装置であって、前記脱塩室として、両側に濃縮室を配置した前記いずれかの脱塩室と、間に濃縮室を介さずに前記いずれか１種類以上の脱塩室を複数隣接して配置した脱塩室群とを、それぞれ１以上有することを特徴とする電気再生式脱塩装置。
【請求項２】
前記間に濃縮室を介さずに配置した脱塩室群は、前記脱塩室群を構成する第１の脱塩室に導入された被処理水が、第１の脱塩室から前記脱塩室群を構成する最終の脱塩室まで、順次直列で通水して脱塩処理されるように接続されていることを特徴とする請求項１に記載の電気再生式脱塩装置。
【請求項３】
前記（ａ）の脱塩室に充填されるイオン交換体は、陰イオン交換体、陽イオン交換体、又は陰イオン交換体と陽イオン交換体の両方のイオン交換体であり、前記（ｂ）の脱塩室に充填されるイオン交換体は、陽イオン交換体であり、前記（ｃ）の脱塩室に充填されるイオン交換体は、陰イオン交換体であり、前記（ｄ）の脱塩室に充填されるイオン交換体は、陽イオン交換体であり、前記（ｅ）の脱塩室に充填されるイオン交換体は、陰イオン交換体であることを特徴とする請求項１又は２に記載の電気再生式脱塩装置。
【請求項４】
前記イオン交換体は、放射線グラフト重合法によりイオン交換基が導入されたイオン交換繊維からなるイオン交換体であることを特徴とする請求項１、２又は３記載の電気再生式脱塩装置。
【請求項５】
前記イオン交換繊維からなるイオン交換体は、不織布又は織布、及び網目状のスペーサであることを特徴とする請求項４記載の電気再生式脱塩装置。
【発明の詳細な説明】
【０００１】
【発明の属する技術分野】
本発明は、電気再生式脱塩装置に係り、特に、１台の電気再生式脱塩装置で、外部に異なった２種類の純度の純水を供給することができる電気再生式脱塩装置に関する。
【０００２】
【従来の技術】
従来の純水製造方法としては、イオン交換樹脂を充填した容器に脱塩室入口水を通過させ、脱塩室入口水中のイオンをＨ+、ＯＨ-イオンに、交換することにより純水を製造するイオン交換法が知られている。
しかし、このイオン交換法では、イオン交換樹脂の交換能力が飽和すると、イオン交換樹脂の種類に応じて酸、アルカリを用いてイオン交換能力の再生をする必要がある。イオン交換樹脂の再生操作は、煩雑で、多量の酸、アルカりの貯蔵、取り扱い及び廃棄に細心の注意が必要であると共に設備が大きくなる、という問題を有している。
それに対し、近年、電気によってイオン交換体を再生し、連続的に純水を製造する電気再生式脱塩装置が開発された。これは、図３に示すように、脱塩室入口水１０中のイオン分を装置の両端に印可した直流電源により、濃縮室出口水１３及び陰極室出口水１５、陽極室出口水１７に移動させることにより除去する装置であり、陰極１を有する陰極室２と陽極３を有する陽極室４、陰極室２と陽極室４の間に陰イオン交換膜５と陽イオン交換膜６を配置することにより形成された脱塩室７と濃縮室８を備え、少なくとも脱塩室７内にはイオン交換体９が充填されているものである。
【０００３】
ここで、イオン交換体９は、イオン交換樹脂、イオン交換繊維、グラフト重合法によりイオン交換基を導入されたイオン交換不織布、スペーサ等のイオン交換機能を持つ物であればどのようなイオン交換体でもよく、陰イオン交換体、陽イオン交換体を単一、もしくは混合、もしくは複層状に充填してある。
陰極室２に陰極室入口水１４を、陽極室４に陽極室入口水１６を、濃縮室８に濃縮室入口水１２を、脱塩室７に脱塩室入口水１０を導入し、陰極１と陽極３間に直流電流を印可することにより、脱塩室入口水１０中に含まれているイオン分は、イオン交換体９の表面を電位の方向に移動し、陰イオンは陰イオン交換膜５、陽イオンは陽イオン交換膜６を透過して、濃縮室８中の濃縮水、陰極室２中の陰極液及び陽極室４中の陽極液に移動し、脱塩室入口水１０は脱イオン処理され純水１１が製造される。
【０００４】
脱塩室７内に充填されたイオン交換体９は、水解によって発生するＨ+、ＯＨ-により連続的に再生されるため、酸あるいはアルカリによる再生作業は必要なく、このようにして純水１１を連続的に製造することが可能となる（特許第１７８２９４３、特許第２７５１０９０、特許第２６９９２５６号各明細書、特願平１０−１５３６９７号）。
また、最近では、脱塩室７を中間イオン交換膜で２つの脱塩室に分割し、片方の脱塩室の流出水をもう片方の脱塩室に導入することで、脱塩性能を改善した電気再生式脱塩装置も開発されている（特開２００１−２３９２７０、特開２００１−３２７９７１号各公報）。
【０００５】
前記従来の電気再生式脱塩装置では、炭酸、シリカなどの弱陰イオン成分の除去能力が、他のイオン分の除去能力に比べて劣っていることが一般に知られている。
これらの弱陰イオン成分は、電気再生式脱塩装置に直流電流を過大に印可すれば、その除去率が多少改善することも知られているが、その場合でも、弱陰イオン成分は十分には除去できなく、単位流量当りの消費電力は大きくなってしまう。
そのため、残存弱陰イオン成分の除去には、必要に応じてカートリッジポリッシャーや電気再生式脱塩装置を後段に設置する必要があり、設置面積、機器数の増加、価格の上昇を招くことになる。
また、純水の使用箇所によっては、比抵抗の高い純水と、比抵抗の比較的低い純水の２種類の純水を使用することがあり、そのような場合は、比抵抗の高い純水に、炭酸ガス等を添加することにより比抵抗を下げる操作を行うこともある。しかし、このような処置を行うことは、一度高度に脱塩した純水に不純物を添加するため、炭酸ガス等の添加装置やその制御などが必要になり、設置面積、機器数の増加、価格の上昇を招くことになる。
【０００６】
【発明が解決しようとする課題】
本発明は、上記従来技術の問題点を解消し、電気再生式脱塩装置の弱陰イオン成分の除去性能を高めると共に、外部に２種以上の水質の異なる純水を供給することができる電気再生式脱塩装置を提供することを課題とする。
【０００７】
【課題を解決するための手段】
上記課題を解決するために、本発明では、陰極を有する陰極室と、陽極を有する陽極室とを有し、該両極室間に、陽極側に陽イオン交換膜、陰極側に陰イオン交換膜を配置して構成される濃縮室と、次の（ａ）〜（ｅ）の脱塩室、（ａ）陰極側に陽イオン交換膜陽極側に陰イオン交換膜を配置し、内部にイオン交換体を充填した脱塩室、（ｂ）両側に陽イオン交換膜を配置し、内部にイオン交換体を充填した脱塩室、（ｃ）両側に陰イオン交換膜を配置し、内部にイオン交換体を充填した脱塩室、（ｄ）陰極側に陽イオン交換膜、陽極側にバイポーラ膜を配置し、内部にイオン交換体を充填した脱塩室、（ｅ）陰極側にバイポーラ膜、陽極側に陰イオン交換膜を配置し、内部にイオン交換体を充填した脱塩室、のいずれか１種類以上の脱塩室とを配置して構成される電気再生式脱塩装置であって、前記脱塩室として、両側に濃縮室を配置した前記いずれかの脱塩室と、間に濃縮室を介さずに前記いずれか１種類以上の脱塩室を複数隣接して配置した脱塩室群とを、それぞれ１以上有することとしたものである。
【０００８】
前記電気再生式脱塩装置において、濃縮室を介さずに配置した脱塩室群は、前記脱塩室群を構成する第１の脱塩室に導入された被処理水が、第１の脱塩室から前記脱塩室群を構成する最終の脱塩室まで、順次直列で通水して脱塩処理されるように接続するのがよく、前記（ａ）の脱塩室に充填されるイオン交換体は、陰イオン交換体、陽イオン交換体、又は陰イオン交換体と陽イオン交換体の両方のイオン交換体であり、前記（ｂ）の脱塩室に充填されるイオン交換体は、陽イオン交換体であり、前記（ｃ）の脱塩室に充填されるイオン交換体は、陰イオン交換体であり、前記（ｄ）の脱塩室に充填されるイオン交換体は、陽イオン交換体であり、前記（ｅ）の脱塩室に充填されるイオン交換体は陰イオン交換体であるのがよく、また、前記イオン交換体は、放射線グラフト重合法によりイオン交換基が導入されたイオン交換繊維からなるイオン交換体であり、イオン交換繊維からなるイオン交換体は、不織布又は織布、及び網目状のスペーサとすることができる。
【０００９】
【発明の実施の形態】
本発明によれば、両側に濃縮室が隣接する通常の脱塩室と、間に濃縮室を介さずに複数の脱塩室を配置した弱陰イオン分の除去性能が高い脱塩室群とを用いて、１台の電気再生式脱塩装置を構成することで、弱陰イオン分の除去性能を高めた比抵抗の高い純水を得ることができると共に、従来の電気再生式脱塩装置で得られる程度の純水をも同時に得られるため、２種類の水質の純水を外部に供給することができる。
【００１０】
次に、図面を用いて本発明を詳細に説明する。
図１は、本発明による電気再生式脱塩装置の一例を示す概略構成図であり、図１では、前記した図３に示す構成と同一構成を同一符号で示して説明する。
陰極１を有する陰極室２と、陽極３を有する陽極室４を対向して配置し、この陰極室２と陽極室４の間に、陰極１側に陰イオン交換膜５を、陽極３側に陽イオン交換膜６を配置して構成された濃縮室８と、陰極１側に陽イオン交換膜６を、陽極３側に陰イオン交換膜５を配置して構成された脱塩室７と、両側に陰イオン交換膜５を配置して構成された脱塩室７１、７２と、陰極１側に陽イオン交換膜６を、陽極３側に陰イオン交換膜５を配置して構成された脱塩室７３とから、間に濃縮室を介さずに構成した脱塩室群７０とにより、本発明による電気再生式脱塩装置が構成される。
【００１１】
ここで脱塩室群は、第１の脱塩室７１の出口が第２の脱塩室７２の入口に、第２の脱塩室７２の出口が第３の脱塩室７３の入口に接続されており、第１の脱塩室７１、第２の脱塩室７２の両側に存在するイオン交換膜は陰イオン父換膜５であるため、内部に充填するイオン交換体９は陰イオン交換体とし、第３の脱塩室７３、及び脱塩室７は陰イオン交換膜５と陽イオン交換膜６で形成されているため、充填するイオン交換体９は、陰イオン交換体と陽イオン交換体の混合イオン交換体とした。
これは、脱塩室の両側にあるイオン交換膜が陰イオン交換膜５と陽イオン交換膜６である場合には、電極間に直流電流を印可すると、被処理水中の陰イオンは陰イオン交換膜５を通過して濃縮室８へ、陽イオンは陽イオン交換膜６を通過して濃縮室８へ移動するため、陰イオン交換体と陽イオン交換体の両方を脱塩室に充填すると脱イオン効果があるのに対し、脱塩室の両側にあるイオン交換膜が両方とも陰イオン交換膜５の場合は、被処理水中の陽イオンは陰イオン交換膜５を通過できないため、陽イオン交換体を内部に充填していても連続脱塩効果が期待できないためである。
【００１２】
同様に、両側に陽イオン交換膜６を配置した脱塩室を用いる場合には、陰イオンは陽イオン交換膜６を通過できないため、内部には陽イオン交換体のみを充填するのがよい。
また、濃縮室８、及び両極室２、４にも、イオン交換体９を充填することが望ましく、このイオン交換体９は、その形状、種類に特に制限はないが、濃縮室８には陽イオン交換体と陰イオン交換体の両者を使用し、陽イオン交換膜側に陽イオン交換体を、陰イオン交換膜側に陰イオン交換体を配置するのが析出の防止に効果的である。
陰極室２には、脱塩室７が隣接する場合には陽イオン交換体を、濃縮室８が隣接する場合には陰イオン交換体を充填するのがよく、陽極室４には、脱塩室７が隣接する場合には陰イオン交換体を、濃縮室８が隣接する場合には陽イオン交換体を充填するのがよい。
濃縮室８、両極室２、４には、一部にイオン交換体以外の、例えばスペーサを充填することもできる。
【００１３】
陰極室２に陰極室入口水１４を、陽極室４に陽極室入口水１６を、濃縮室８に濃縮室入口水１２を、脱塩室７に脱塩室入口水１０を、脱塩室群７０のうちの第１の脱塩室７１に脱塩室群入口水１８を導入し、陰極１と陽極３間に直流電流を印可することにより、脱塩室入口水１０及び脱塩室群入口水１８中に含まれているイオン分は、イ才ン交換体９の表面を電位の方向に移動し、陰イオンは陰イオン交換膜５、陽イオンは陽イオン交換膜６を透過して、濃縮室８中の濃縮水、陰極室２中の陰極水、陽極室４中の陽極水に移動し系外に排出され、脱塩室入口水１０及び脱塩室群入口水１８は脱イオン処理され、脱塩室出口純水１１及び脱塩室群出口純水１９が製造される。
１以上の脱塩室７と１以上の脱塩室群７０は、各々同じ脱塩室入口水１０を処理しても、別の水を処理してもかまわず、脱塩室７と脱塩室群７０の出口水は、別々に外部に供給してもかまわず、混合して供給してもよい。
また、脱塩室７の出口水を脱塩室群７０を構成している第１の脱塩室７１に導入してさらに脱塩処理しても、脱塩室群７０を構成している最終の脱塩室７３の出口水を脱塩室７の入口水として用いることも可能である。
【００１４】
脱塩室７の出口水１１を脱塩室群７０に導入する場合、及び脱塩室群７０の出口水１９を脱塩室７に導入する場合は  さらに高度の脱塩効果が期待できる。
脱塩室群７０の作用について詳しく説明すると、第１の脱塩室７１に導入された脱塩室入口水１０中の陰イオン分は、両極に印可された直流電流により陽極３側に移動し、陰イオン交換膜５を透過して濃縮室８中に移動する。陽イオン分は、陰極側に配置されている陰イオン交換膜５を透過することができないため、第１の脱塩室７１に留まる。これにより、第１の脱塩室７１内は陰イオン分のみが減少するためｐＨが高くなり、弱アニオン成分もイオン化することで除去しやすくなる。陰極側に配置されているイオン交換膜５からは、第２の脱塩室７２で除去される残存陰イオン分とＯＨ-が第１の脱塩室７１に透過してくる。このＯＨ-の作用で、第１の脱塩室７１内に充填されている陰イオン交換体は再生され、再び脱塩室入口水１０中の陰イオン分を除去できるようになる。
【００１５】
第１の脱塩室７１で上述の脱塩処理をされた処理水は、続いて第２の脱塩室７２に導入される。ここでも第１の脱塩室７１での脱塩処理と同様に、陰イオン分は陰イオン交換膜５を透過して第１の脱塩室へ移動し、陽イオン分は処理水中に留まるため、処理水は第２の脱塩室７２に導入された時点からｐＨが高いまま保持され、さらに弱陰イオン成分の脱塩効果を高くしている。これにより、第１の脱塩室７１で脱塩しきれなかった、主に弱陰イオン分かなる残存陰イオン分が除去される。
陰極１側に存在する陰イオン交換膜５からは、主にＯＨ-が第２の脱塩室７２に透過してくるため、第２の脱塩室中の陰イオン交換体は、第１の脱塩室７１中の陰イオン交換体よりも効率よく再生され、第１の脱塩室で除去しきれなかった陰イオン成分の除去を効率よく行うことができる。
第２の脱塩室７２でさらに脱塩処理された処理水は、第３の脱塩室７３に導入され、最終的な脱塩処理が行われる。
【００１６】
第３の脱塩室７３に導入された時点で、処理水中の陰イオン成分はほとんどなくなっており、極微量の弱陰イオン成分及び陽イオン成分が除去の対象となる。第３の脱塩室７３には、陽イオン交換体と陰イオン交換体が充填されており、陽イオン分は陽イオン交換体とイオン交換された後、陰極１側に存在する陽イオン交換膜６を透過して濃縮室８に移動する。残存する微量の弱陰イオン成分は、第３の脱塩室７３中の陰イオン交換体とイオン交換した後、陽極３側にある陰イオン交換膜５を透過して、第２の脱塩室７２に移動する。
第３の脱塩室では、イオン分の移動の他、水解によって水がＨ+とＯＨ-に分解されており、これが第３の脱塩室７３中の陽イオン交換体、陰イオン交換体を再生すると共に、ＯＨ-は、第１、第２の脱塩室７１、７２内に充填された陰イオン交換体の再生にも用いられるため、酸、アルカリによるイオン交換体の再生作業は必要なく、このようにして、脱塩室入口水１０中のイオン分は、弱陰イオン成分も含めて十分に除去され、連続的に純水１９を得ることができる。
【００１７】
ここで、陽イオン分は、弱陰イオン分に比べ遥かに除去し易いため、通常は第３の脱塩室７３だけで十分除去することが可能だが、脱塩室入口水１０中に陽イオン成分が多量に含まれている場合には、本図であげている第３の脱塩室に充填するイオン交換体を陽イオンのみとすることで、陽イオンの除去能力を増大したり、第２の脱塩室７２の陽極側のイオン交換膜を陽イオン交換膜６に変更し、第２の脱塩室７２に充填されているイオン交換体を陽イオン交換体と陰イオン交換体の混合イオン交換体とすると共に、第３の脱塩室７３中のイオン交換体を陽イオン交換体とし、第１の脱塩室７１から流出した処理水を第３の脱塩室７３に導入し、さらに陰イオン交換体と陽イオン交換体の充填された第２の脱塩室７２に導入する、という処理方法を行って陽イオンの除去能力を増大させてもよい。
また、本図の第３の脱塩室７３に加え、さらに第４の脱塩室を設け、第３の脱塩室７３の出口水をさらに脱塩処理するということも可能である。
【００１８】
脱塩室群７０を、片側にバイポーラ膜を配置した脱塩室を使用して構成する場合は、陰イオン交換膜とバイポーラ膜で形成された脱塩室内部には陰イオン交換体を、バイポーラ膜と陽イオン交換膜で形成された脱塩室内部には陽イオン交換体を充填すると脱塩効率が高い。
バイポーラ膜の特性から、バイポーラ膜にて低電圧で効率的に水解によるＨ+、ＯＨ-が発生し、Ｈ+は陽イオン交換体を、ＯＨ-は陰イオン交換体を再生させ、脱塩室群入口水１８中のイオン分を除去することが可能となる。
水解を効率的に発生させられるため、バイポーラ膜を用いた場合は、さらに運転電圧が低減することが期待できる。
また、電気再生式脱塩装置においては、従来、脱塩室の数の±１の濃縮室が必要であったのが、上述のように、複数枚のイオン交換膜で分割された脱塩室を用いて電気再生式脱塩装置を形成することにより、濃縮室の室数を減らすことが可能になり、その分運転電圧を軽減することも可能となる。
【００１９】
【実施例】
以下、本発明を実施例により具体的に説明する。
実施例１
この実施例では、本発明の効果を比較例との対比の元で説明する。試験設備は、図２に示す試験装置のフロー図の通りであり、、脱塩室入口水１０、濃縮室入口水１、陰極室入口水１４、陽極室入口水１６として、藤沢市水を活性炭濾過器、保安フィルタ、逆浸透膜装置で前処理したものを使用し、その水質は、比抵抗０．２５ＭΩ・ｃｍであった。
本実施例では、図２に示す試験装置中の電気再生式脱塩装置に、図１に示す構成の電気再生式脱塩装置を用い、脱塩室入口水１０の流量を１００Ｌ／ｈ、脱塩室群入口水１８の流量を１５０Ｌ／ｈ、濃縮室入口水１２の流量を５０Ｌ／ｈ、陰極室入口水１４の流量及び陽極室入口水１６の流量をそれぞれ１０Ｌ／ｈとして、０．４Ａの直流電流を陰極１と陽極３に印可して運転を行った。
【００２０】
電気再生式脱塩装置は、電極面積６４０ｃｍ2、脱塩室は１０室でそのうちの６室を２つの脱塩室群７０に用い、脱塩室群７０のうち、第１の脱塩室７１、第２の脱塩室７２は、両側を陰イオン交換膜５で形成し、内部に陰イオン交換体を、第３の脱塩室７３及び脱塩室７は、陰イオン交換膜５と陽イオン交換膜６で形成し、陰イオン交換体と陽イオン交換体を充填した構成とした。
濃縮室８は５室とし、両端に陰極室２と陽極室４を設けた。
また、濃縮室８の内部には、陰イオン交換体と陽イオン交換体を、陰極室２の内部には、陽イオン交換体と導電性をもたないスペーサを、陽極室４の内部には、陰イオン交換体と導電性を持たないスペーサを充填した。
上記条件で運転した結果、脱塩室群７０からは比抵抗１７．７ＭΩ・ｃｍ、炭酸、シリカの除去率が共に９９％程度の脱塩室群出口純水１９が、脱塩室７からは比抵抗１４．２ＭΩ・ｃｍ、炭酸除去率９４％、シリカ除去率８８％程度の脱塩室出口純水１１が連続して得られた。
【００２１】
比抵抗が高い純水と、それほど高くなくてもかまわない純水の２種類を使用するような場合は、本発明においては、複数の脱塩室を濃縮室を介さないで形成した脱塩室群７０と、両側に濃縮室８を配置した脱塩室７の各部屋数、通水流量を変化させることで、１台の電気再生式脱塩装置で、２種類の目的にあった比抵抗の純水を得ることが可能となる。
濃縮室８の部屋数が、下記の比較例１の９室に対して５室に減少しているため、運転電圧は１８０V程度と比較例１に比べ低かった。
また、脱塩室出口純水１１と脱塩室群出口純水１９の両者を混合して用いる場合にも、混合された純水の水質は、１６．０ＭΩ・ｃｍで、炭酸除去率は約９７％、シリカ除去率は約９５％と比較例１に対して高い比抵抗の純水が得られた。
【００２２】
比較例１
比較例として、図３に示す構成の電気再生式脱塩装置を用い、脱塩室入口水１０の流量を２５０Ｌ／ｈ、濃縮室入口水１２の流量を９０Ｌ／ｈ、陰極室入口水１４の流量及び陽極室入口水１６の流量をそれぞれ１０Ｌ／ｈとして、０．４Ａの直流電流を陰極１と陽極３に印可して運転を行った。
電気再生式脱塩装置は、電極面積６４０ｃｍ2、脱塩室は１０室、濃縮室は９室とし、両端に陰極室と陽極室を設け、脱塩室、濃縮室内部には陰イオン交換体と陽イオン交換体を、陰極室には陽イオン交換体を、陽極室には陰イオン交換体を充填してある。
上記条件で運転した結果、比抵抗１４．４ＭΩ・ｃｍ程度の純水１１が連続して製造された。
この運転において、運転電圧は２１０Ｖ、炭酸除去率９５％、シリカ除去率８８％であった。
【００２３】
【発明の効果】
本発明の電気再生式脱塩装置によれば、上述したように、被処理水中の弱陰イオン成分を除去する能力を高め比抵抗の高い純水を得ることができると共に、水質の異なる２種類の純水を外部に供給することが可能となる。
【図面の簡単な説明】
【図１】本発明の電気再生式脱塩装置の一例を示す概略構成図。
【図２】実施例に用いた試験装置のフロー図。
【図３】従来の電気再生式脱塩装置の一例を示す概略構成図。
【符号の説明】
１：陰極、２：陰極室、３：陽極、４：陽極室、５：陰イオン交換膜、６：陽イオン交換膜、７：脱塩室、８：濃縮室、９：イオン交換体、１０：脱塩室入口水、１１：純水、１２：濃縮室入口水、１３：濃縮室出口水、１４：陰極室入口水、１５：陰極室出口水、１６：陽極室入口水、１７：陽極室出口水、１８：脱塩室群入口水、１９：純水、７１：脱塩室群を構成する第１の脱塩室、７２：脱塩室群を構成する第２の脱塩室、７３：脱塩室群を構成する第３の脱塩室
【図１】
0003729348.tif 000002
【図２】
0003729348.tif 000003
【図３】
0003729348.tif 000004